(57)【要約】【課題】  網戸の框を無くしたサッシにおいて、網の端部を保持するアタッチメントを目立たなくしながら、アタッチメントが簡単に取外せて網のメンテナンスが容易に行えるサッシの提供。【解決手段】  サッシ枠１と網戸３を備え、サッシ枠１は、内周側に開口する網戸係合溝１８ａ，１８ｂ，１８ｃ，１８ｄを有し、網戸３は、網１６の少なくとも上下又は左右の端部に網戸係合溝に係合するアタッチメント１７ａ，１７ｂ，１７ｃ，１７ｄを有し、アタッチメントは、網戸係合溝から内周側に突出していると共に、室内側に延出する延出片３９と延出片から外周側に突出する外周向き突片４０を有し、長手方向端部において外周向き突片４０に切欠部４７を設けてある。【選択図】      図３
2010281099.tif 000002
【特許請求の範囲】
【請求項１】
サッシ枠と網戸を備え、サッシ枠は、内周側に開口する網戸係合溝を有し、網戸は、網の少なくとも上下又は左右の端部に網戸係合溝に係合するアタッチメントを有し、アタッチメントは、網戸係合溝から内周側に突出していると共に、室内側に延出する延出片と延出片から外周側に突出する外周向き突片を有し、長手方向端部において外周向き突片に切欠部を設けてあることを特徴とするサッシ。
【発明の詳細な説明】
【技術分野】
【０００１】
本発明は、網戸を備えるサッシに関する。
【背景技術】
【０００２】
網戸の框を無くしたサッシとして特許文献１には、サッシ枠に室外側又は室内側に向けて開口する取付溝を形成し、網の端部を係止したアタッチメントを室外側又は室内側から取付溝に嵌め込んだものが記載されている。このサッシは、室外側又は室内側の正面視でアタッチメントが見えるため、意匠上問題がある。
【０００３】
特許文献２には、サッシ枠に内周側に開口して取付溝を形成し、網の端部を係止したアタッチメントを内周側から取付溝に嵌め込んだものが記載されている。アタッチメントの表面は、サッシ枠の内周面と面一になっている。このサッシでは、網のメンテナンスのためにアタッチメントを外すには、マイナスドライバー等の先の細い工具を網の室内側に沿って取付溝内に無理やりこじ入れ、アタッチメントをほじくり返す必要があり、このときに網やサッシ枠を傷付けたり、網が破れたりすることがあった。また、工具で取付溝を無理に広げようとして、取付溝が変形してしまうこともある。また、アタッチメントを外すためには面内方向に力を加える必要があるが、工具により加わる力は溝を広げる方向（面外方向）でこれとは直行するものであり、実際には溝を変形させなければアタッチメントに面内方向に力を伝達することができないため、アタッチメントは非常に取れ難く、アタッチメントを取外す作業は作業者にとってストレスの溜まる煩わしい作業となっていた。
【先行技術文献】
【特許文献】
【０００４】
【特許文献１】特開２００７−１７７５６６号公報
【特許文献２】特開２００８−５０８０５号公報
【発明の概要】
【発明が解決しようとする課題】
【０００５】
本発明は以上に述べた実情に鑑み、網戸の框を無くしたサッシにおいて、網の端部を保持するアタッチメントを目立たなくしながら、アタッチメントが簡単に取外せて網のメンテナンスが容易に行えるサッシの提供を目的とする。
【課題を解決するための手段】
【０００６】
上記の課題を達成するために請求項１記載の発明によるサッシは、サッシ枠と網戸を備え、サッシ枠は、内周側に開口する網戸係合溝を有し、網戸は、網の少なくとも上下又は左右の端部に網戸係合溝に係合するアタッチメントを有し、アタッチメントは、網戸係合溝から内周側に突出していると共に、室内側に延出する延出片と延出片から外周側に突出する外周向き突片を有し、長手方向端部において外周向き突片に切欠部を設けてあることを特徴とする。
【発明の効果】
【０００７】
請求項１記載の発明によるサッシは、アタッチメントがサッシ枠の網戸係合溝から内周側に突出していると共に、室内側に延出する延出片と延出片から外周側に突出する外周向き突片を有し、長手方向端部において外周向き突片に切欠部を設けてあるので、切欠部に工具を挿入して面内方向に力を加えることで、アタッチメントを簡単に外すことができ、網のメンテナンスが容易に行える。アタッチメントを取外す際に、網や枠を傷付けるおそれもない。しかもアタッチメントは、サッシ枠に内周側に開口する網戸係合溝から僅かに突出していればよく、アタッチメントによりサッシの意匠性が阻害されたり眺望が損なわれたりするのを防止できる。さらに、切欠部はサッシの内周側から見えず、室内側からの正面視でもほとんど目立たないので意匠を損なわず、また切欠部を設けたことでアタッチメントが網のテンションにより外れやすくなるということもない。
【図面の簡単な説明】
【０００８】
【図１】本発明に係るサッシの一実施形態を示す縦断面図である。
【図２】同サッシの横断面図である。
【図３】同サッシの室内側正面図である。
【図４】カバー材を取外した状態を示すサッシ下枠部の縦断面図である。
【図５】（ａ）は網戸のアタッチメントの拡大断面図であり、（ｂ）はアタッチメントの溝先端側の係止部に網を係止した状態、（ｃ）はアタッチメントの溝奥側の係止部に網を係止した状態を示す。
【図６】下枠部の縦断面図であって、（ａ）はアタッチメントの溝先端側の係止部に網を係止し、アタッチメントを下枠から取外した状態、（ｂ）はそのアタッチメントを下枠に取付けた状態を示す。
【図７】下枠部の縦断面図であって、（ａ）はアタッチメントの溝奥側の係止部に網を係止し、アタッチメントを下枠から取外した状態、（ｂ）はそのアタッチメントを下枠に取付けた状態を示す。
【図８】竪枠部の横断面図であって、（ａ）はアタッチメントを竪枠から取外した状態、（ｂ）はアタッチメントを竪枠に取付けた状態を示す。
【図９】（ａ）は竪枠用のアタッチメントの側面図であり、（ｂ）は同アタッチメントの室内側正面図である。
【図１０】竪枠用のアタッチメントと下枠用のアタッチメントを示す斜視図である。
【図１１】本発明に係るサッシの他の実施形態を示す縦断面図である。
【図１２】同サッシの横断面図である。
【発明を実施するための形態】
【０００９】
以下、本発明の実施形態を図面に基づいて説明する。図１〜３は、本発明のサッシの一実施形態であって、建物（木造住宅）の躯体開口部に設置したサッシを示している。本サッシは、図１，２に示すように、躯体開口部に取付けたサッシ枠１と、サッシ枠１に開閉自在に設けた障子２と、サッシ枠１内の障子２の室内側に設けた網戸３を備えている。本サッシは、左右寸法が上下寸法より少し大きい長方形になっており、窓の種類としては、障子２が上端部を支点として室外側に回動して開く、いわゆる突き出し窓となっている。下枠４にはオペレータ装置５と、オペレータ装置５のハンドル操作に連動して動く開閉連動装置６が設けてあり、障子２の開閉操作を網戸３を閉めたままで室内側から手元で行えるようにしている。
【００１０】
サッシ枠１は、アルミニウム合金の押出形材よりなる上枠７と下枠４と左右の竪枠８ａ，８ｂとを方形に枠組みして構成され、各枠材７，４，８ａ，８ｂの室内外方向中間部に外周側に突出して形成した躯体固定片４６を躯体９にネジ止めして、躯体開口部に固定されている。サッシ枠１は、図１，２に示すように、室内側の正面視では額縁１０等の内装材に隠れて見えないようになっている。
障子２は、アルミニウム合金の押出形材よりなる上框１１と下框１２と左右の竪框１３ａ，１３ｂとを方形に框組みし、その枠内にガラスパネル１４（複層ガラス）を納めて構成してあり、上框１１を蝶番１５で上枠７に連結してある。障子２は、室内側から見ると各框１１，１２，１３ａ，１３ｂがサッシ枠１に隠れて見えないようになっている。
網戸３は、網１６と、網１６の四周縁部に配置した樹脂製のアタッチメント１７ａ，１７ｂ，１７ｃ，１７ｄとからなり、各アタッチメント１７ａ，１７ｂ，１７ｃ，１７ｄはサッシ枠１の内周側に四周連続して設けた網戸係合溝１８ａ，１８ｂ，１８ｃ，１８ｄに内周側から係合取付けされており、通常の網戸のような框を有しないものとなっている。
以上に述べたように本サッシは、室内側の正面視ではサッシ枠１と障子２及び網戸３の框が見えず、すっきりとした開放的な意匠となっている。
【００１１】
次に、各部の構造についてより詳細に説明する。下枠４は、図１と図４に示すように、室内外方向の中間部と室内側端部とに内周側に突出した起立片１９ａ，１９ｂを有し、両起立片１９ａ，１９ｂと見込み片２０とで内周側に開口した凹溝２１が形成してあり、樹脂製のカバー材２２ａにより凹溝２１を塞いである。カバー材２２ａの室内側端部は、額縁１０の内周に係止している。室内外方向中間部の起立片１９ａの上部には、室外側に向けてタイト材取付溝２３が形成してあり、タイト材取付溝２３に取付けたタイト材２４により下框１２との隙間を塞いでいる。同起立片１９ａの上部室内側には、内周側に開口した網戸係合溝１８ａが形成してあり、この網戸係合溝１８ａに網戸のアタッチメント１７ａを内周側から係合取付けしている。網戸係合溝１８ａの室内側と、室内側端部の起立片１９ｂの上端部にはカバー材係止溝２５が形成してある。カバー材２２ａは、図４，６，７に示すように、硬質樹脂で板状部２６と、板状部２６の裏面（外周側面）に突出する係止爪２７，２７が形成され、係止爪２７，２７を下枠４のカバー材係止溝２５，２５に係止して取付けてあり、板状部２６により下枠４の網戸係合溝１８ａより室内側の露出部をカバーしている。板状部２６の室外側端部には軟質部２８が設けられ、図６，７に示すように、軟質部２８によりカバー材２２ａと下枠４及びアタッチメント１７ａとの隙間を塞いでいる。
【００１２】
上枠７と竪枠８ａ，８ｂも、図１，２に示すように、下枠４と同様に内周側に開口した凹溝２１が室内側に形成してあると共に、その室外側に網戸係合溝１８ｂ，１８ｃ，１８ｄが形成してあり、網戸のアタッチメント１７ｂ，１７ｃ，１７ｄとカバー材２２ｂ，２２ｃ，２２ｄとを室内外方向に隣接して上枠７及び竪枠８ａ，８ｂにそれぞれ係合して取付けている。アタッチメント１７ｂ，１７ｃ，１７ｄとカバー材２２ｂ，２２ｃ，２２ｄは、下枠４に取付けているもの（１７ａ，２２ａ）と断面形状が同一のものである。
【００１３】
オペレータ装置５は、図１，２に示すように、ベース部材２９とレバーハンドル３０とを備えている。ベース部材２９は、カバー材２２ａを貫通して配置され、内周側からのビス３１により下枠４に固定されている。レバーハンドル３０は、ベース部材２９の上面に形成した溝３２に収容して配置してあり、開閉操作時には図１中に仮想線で示すようにレバーハンドル３０を斜めに起こし、垂直軸回りに１８０°回動させるものであり、レバーハンドル３０を回動するとベース部材２９内で駆動ピン（図示省略）が移動し、開閉連動装置６にレバーハンドル３０の動きを伝達する。
開閉連動装置６は、下枠４の室内外方向中間部の起立片１９ａの下部に形成した切り欠き部４８（図３，４参照）に挿通して配置され、室外側からのビス３３で起立片１９ａに固定してある。開閉連動装置６自体の構造については、今回の発明の特徴部分ではないため詳細な説明を省略するが、オペレータ装置５のレバーハンドル３０が操作されて駆動ピンが動作すると、その動きに連動して障子２の下框１２に連結したアーム３４が動作して、障子２を開閉できるものである。オペレータ装置５と開閉連動装置６とは、上下に分離できる構造になっている。
【００１４】
開閉連動装置６のメンテナンスを行うときは、図４に示すように、ビス３１を外してオペレータ装置５を上方に引き抜き、下枠４のカバー材２２ａを取外して行うことができる。網戸３のアタッチメント１７ａは、カバー材２２ａと分離して下枠４の網戸係合溝１８ａに係合して取付けてあるため、カバー材２２ａを外すために網１６やアタッチメント１７ａを外す必要がなく、カバー材２２ａのみを外すだけで開閉連動装置６のメンテナンスが簡易に行える。
【００１５】
網１６は、長さが長い方の上下の端部に厚肉部３５が全長にわたって設けてある。厚肉部３５は、衣類や寝具等に用いられるファスナーの片方を利用したもので、ファスナーのテープ部分を網１６の端部に縫い付けるか溶着して固定している。
アタッチメント１７ａ，１７ｂ，１７ｃ，１７ｄは、図５に示すように、水平板部３６と、室内外方向に間隔をあけて水平板部３６より外周側に突出して形成した垂直板部３７ａ，３７ｂとで、外周側に開口する断面略コ字状の溝３８が形成され、水平板部３６を室内側に延出して延出片３９が形成してあり、延出片３９の先端部より外周側に突出する外周向き突片４０を有している。室外側の垂直板部３７ａの室外側面には、網戸係合溝１８ａ，１８ｂ，１８ｃ，１８ｄ内の室外側の突起４１ａに係止する係止片４２が、内周側に傾斜して突出するヒレ状に設けてあり、室内側の垂直板部３７ｂの室内側面には、網戸係合溝１８ａ，１８ｂ，１８ｃ，１８ｄ内の室内側の突起４１ｂに係止する係止突起４３が設けてある。溝３８内には、網１６の上下端部に設けた厚肉部３５が係止する係止部４４ａ，４４ｂが、溝３８の先端側と奥側の２箇所に設けてある。各係止部４４ａ，４４ｂは、室外側及び室内側の垂直板部３７ａ，３７ｂより溝３８内にそれぞれ突出する突起４５ａ，４５ｂにより構成してある。溝３８内には、網１６の厚肉部３５よりも幅広の空間が形成されている。アタッチメント１７ａ，１７ｂ，１７ｃ，１７ｄは、室外側の係止片４２のみが軟質樹脂で形成され（図５中、ハッチングした部分は軟質樹脂で形成された部分を示す。）、他の部分は硬質樹脂で形成されている。アタッチメント１７ａ，１７ｂ，１７ｃ，１７ｄは、サッシ枠１の網戸係合溝１８ａ，１８ｂ，１８ｃ，１８ｄに取付けると、図６（ｂ）と図７（ｂ）に示すように、外周向き突片４０の先端が網戸係合溝１８ａ，１８ｂ，１８ｃ，１８ｄの室内側の壁の先端部に当接し、外周向き突片４０の高さ分だけ網戸係合溝１８ａ，１８ｂ，１８ｃ，１８ｄから内周側に突出した状態で網戸係合溝１８ａ，１８ｂ，１８ｃ，１８ｄをカバーする。
【００１６】
室内側から見て右側の竪枠８ｂに取付けられるアタッチメント１７ｄは、図３，９，１０に示すように、下側の端部において外周向き突片４０に切欠部４７が設けてある。
【００１７】
網１６を張るときの手順を説明すると、網１６の上下端部に形成した厚肉部３５をアタッチメント１７ａ，１７ｂの小口から溝３８内に通すようにして、図５（ｂ）に示すように、溝３８内の先端側の係止部４４ａに厚肉部３５を係止させる。そうして上下のアタッチメント１７ａ，１７ｂを網１６に取付けたら、図６（ａ）に示すように、網１６の端部を１８０°折り返してアタッチメント１７ａ，１７ｂの開口をサッシ枠１の網戸係合溝１８ａ，１８ｂの開口と対向させ、アタッチメント１７ａ，１７ｂを内周側から網戸係合溝１８ａ，１８ｂに押し込んで取付ける。網１６の側縁部は、図８（ａ）に示すように、竪枠８ａ，８ｂの網戸係合溝１８ｃ，１８ｄ内に差し入れてから、アタッチメント１７ｃ，１７ｄを内周側から竪枠８ａ，８ｂの網戸係合溝１８ｃ，１８ｄに押し込んで係合取付けし、網戸係合溝１８ｃ，１８ｄとアタッチメント１７ｃ，１７ｄとで網１６の側縁部を挟んで保持する。
【００１８】
このように、網１６の上下端部を１８０°折り返し、アタッチメント１７ａ，１７ｂの溝３８の開口がサッシ枠１の網戸係合溝１８ａ，１８ｂの開口と対向するように外周側に向けて、アタッチメント１７ａ，１７ｂを内周側から網戸係合溝１８ａ，１８ｂに係合取付けしたことで、網１６のテンションによりアタッチメント１７ａ，１７ｂの溝３８を広げる方向に力が働かないので、網１６の厚肉部３５がアタッチメント１７ａ，１７ｂの係止部４４ａから外れることがなく、網１６を十分にテンションをかけて張ることができる。しかも網戸係合溝１８ａ，１８ｂが金属製のサッシ枠１に形成されているため、アタッチメント１７ａ，１７ｂを網戸係合溝１８ａ，１８ｂから外れないように確実に係合できる。アタッチメント１７ａ，１７ｂ，１７ｃ，１７ｄは、大部分が網戸係合溝１８ａ，１８ｂ，１８ｃ，１８ｄ内に収容されるため、アタッチメント１７ａ，１７ｂ，１７ｃ，１７ｄによりサッシの意匠性が阻害されたり眺望が損なわれたりするのを防止できる。さらに、アタッチメント１７ａ，１７ｂ，１７ｃ，１７ｄの室外側の係止片４２を軟質樹脂でヒレ状に形成したので、アタッチメント１７ａ，１７ｂ，１７ｃ，１７ｄを網戸係合溝１８ａ，１８ｂ，１８ｃ，１８ｄに押し込む際に、網１６が擦れて損傷するのを防止できる。
【００１９】
経年により網１６のテンションが弱くなったときには、４本のアタッチメント１７ａ，１７ｂ，１７ｃ，１７ｄをいったん取外し、テンションが強くなるように網１６を張り直すことができる。このときの手順を以下に説明する。
まず、網１６の端部を係止していない右側のアタッチメント１７ｄの外周向き突片４０の下部に形成された切欠部４７にマイナスドライバー等の先の尖った工具を挿入し、工具の先を内周側に動かすことで、同アタッチメント１７ｄを網戸係合溝１８ｄから簡単に取外すことができる。右側のアタッチメント１７ｄを外すと、上下のアタッチメント１７ａ，１７ｂの右側の端面が露出するので、そこに指や工具を引っ掛けて内周側に力を加えることで、上下のアタッチメント１７ａ，１７ｂを簡単に取外すことができる。また上下のアタッチメント１７ａ，１７ｂは網１６の端部を係止しているため、網１６を引っ張るようにして取外すこともできる。左側のアタッチメント１７ｃは、上下いずれかの端面に指や工具を引っ掛け、内周側に力を入れることで簡単に取外すことができる。
全てのアタッチメント１７ａ，１７ｂ，１７ｃ，１７ｄを取外したら、上下のアタッチメント１７ａ，１７ｂのうちの何れか一方を側方にいったん抜き取り、図５（ｃ）に示すように、網１６端部の厚肉部３５をアタッチメントの小口から溝３８内に挿入し、溝３８の奥側の係止部４４ｂに網１６の厚肉部３５を係止させる。その後、最初に網を張ったときと同じように、図７に示すように網１６の上下端部を折り返すようにして上下のアタッチメント１７ａ，１７ｂを上下枠の網戸係合溝１８ａ，１８ｂに係合取付けし、その後、図８に示すように、左右のアタッチメント１７ｃ，１７ｄを竪枠の網戸係合溝１８ｃ，１８ｄに係合取付けして網１６の側縁部を保持させる。
さらに年月が経って網１６のテンションが弱くなったときには、再度アタッチメント１７ａ，１７ｂ，１７ｃ，１７ｄをサッシ枠１から取外し、上下のアタッチメント１７ａ，１７ｂのうちの前回そのままにした方のアタッチメントを側方に抜き取り、図５（ｃ）に示すように溝奥側の係止部４４ｂに網１６の厚肉部３５を係止させて、各アタッチメント１７ａ，１７ｂ，１７ｃ，１７ｄをサッシ枠１の網戸係合溝１８ａ，１８ｂ，１８ｃ，１８ｄに係合取付けする。すなわち本サッシは、網１６のテンションを３段階に調整することができる。
【００２０】
上述のように本サッシは、網戸３のアタッチメント１７ａ，１７ｂ，１７ｃ，１７ｄに室内側に延出する延出片３９と外周向き突片４０を設け、これらの部分をサッシ枠１の網戸係合溝１８ａ，１８ｂ，１８ｃ，１８ｄから突出させ、さらに最初に取外すアタッチメント１７ｄの長手方向の端部において外周向き突片４０に切欠部４７を設けたので、切欠部４７に工具を挿入して僅かな力でアタッチメント１７ｄを簡単に外すことができ、他のアタッチメント１７ａ，１７ｂ，１７ｃは端面に指等を引っ掛けて簡単に取外すことができるため、網１６のメンテナンスが容易に行える。このように外周向き突片４０に工具挿入用の切欠部４７を設けたことで、サッシ枠１や網１６を工具で傷付ける心配もない。切欠部４７はサッシの内周側からは見えず、室内側からの正面視でもほとんど目立たないので（図３参照）意匠を損なわず、また切欠部４７を設けたことによりアタッチメント１７ｄが網１６のテンションで外れやすくなるということもない。
また、網１６のメンテナンスのためにアタッチメント１７ａ，１７ｂ，１７ｃ，１７ｄを外したときでも、図６（ａ）と図７（ａ）に示すように、サッシ枠１の網戸係合溝１８ａ，１８ｂ，１８ｃ，１８ｄよりも室内側がカバー材２２ａ，２２ｂ，２２ｃ，２２ｄでカバーしてあるため、開閉連動装置６を設置するために下枠４に形成した切り欠き部４８を通じて室内に風や雨が吹き込むことがないので、網１６のメンテナンスを天候に左右されることなくいつでも行うことができる。
さらに、アタッチメント１７ａ，１７ｂ，１７ｃ，１７ｄには網１６端部の係止部４４ａ，４４ｂを溝３８の深さ方向に複数設けたので、経年により網１６のテンションが弱くなったときに、網１６のテンションが強くなるように張り直すことができ、網１６を適切な状態で長期間使用できる。網１６端部の係止位置を変更する際には、アタッチメント１７ａ，１７ｂをいったん引き抜き、網１６端部の厚肉部３５をアタッチメント１７ａ，１７ｂの小口から係止部４４ｂに順次係止させることで、工具を使用することなく誰にでも簡単に係止位置を変更できる。アタッチメント１７ａ，１７ｂは、網１６のテンションがアタッチメントの溝３８を広げる方向に働かず、網１６にテンションを掛けても溝３８の幅が広がらないため、溝３８の先端側の係止部４４ａに係止したときと奥側の係止部４４ｂに係止したときで、網１６端部の係止の強さは変わらない。
網１６の係止用の厚肉部３５としてファスナーを利用することで、厚肉部３５を簡単に且つ低コストで形成することができ、ファスナーの硬質のエレメントによりアタッチメントの係止部４４ａ，４４ｂに確実に係止できる。
【００２１】
さらに本サッシは、サッシ枠１の網戸係合溝１８ａ，１８ｂ，１８ｃ，１８ｄを樹脂製のアタッチメント１７ａ，１７ｂ，１７ｃ，１７ｄでカバーしていると共に、サッシ枠１の網戸係合溝１８ａ，１８ｂ，１８ｃ，１８ｄよりも室内側の露出部を樹脂製のカバー材２２ａ，２２ｂ，２２ｃ，２２ｄでカバーしているため、結露の発生を防止できる。また、アタッチメント１７ａ，１７ｂ，１７ｃ，１７ｄを例えば障子のタイト材２４と同色のブラックとし、樹脂カバー材２２ａ，２２ｂ，２２ｃ，２２ｄを変えるだけで室内色を変更することができ、容易に内観デザインを変更できる。アタッチメント１７ａ，１７ｂ，１７ｃ，１７ｄとカバー材２２ａ，２２ｂ，２２ｃ，２２ｄの色調を変えることで、内観をツートンカラーのカラフルなデザインとすることもできる。
【００２２】
図１１，１２は本発明のサッシの他の実施形態を示している。本サッシは、サッシ枠１に取付けるカバー材２２ａ，２２ｂ，２２ｃ，２２ｄをアルミ製としたものである。他の部分は先に述べた実施形態と同様である。
【００２３】
本発明は以上に述べた実施形態に限定されない。障子２の開き方は任意であり、例えば外倒し式に開くもの、縦軸回りに回動して開くもの、辷り出し式に開くもの、平行移動して開くものであってもよい。実施形態のものでは、室内側から見て右側のアタッチメント１７ｄの下端部にのみ工具挿入用の切欠部４７を形成したが、上下のアタッチメント１７ａ，１７ｂの長手方向端部に切欠部４７を設けたり、全てのアタッチメント１７ａ，１７ｂ，１７ｃ，１７ｄの長手方向端部に切欠部４７を設けることもできる。アタッチメントは、実施形態のものでは４本とも同一断面形状にしているが、網１６の端部が係止しないアタッチメント１７ｃ，１７ｄを網端部の係止部４４ａ，４４ｂを有しないものとすることもできる。また、網１６の端部が係止しないアタッチメント１７ｃ，１７ｄと、これを取付けるための網戸係合溝１８ｃ，１８ｄを省略することもできる。また、網１６の上下左右の端部を４箇所ともアタッチメント１７ａ，１７ｂ，１７ｃ，１７ｄの係止部４４ａ又は４４ｂに係止することもできる。網１６は、左右の縁部に係止用の厚肉部３５を設けることもできる。アタッチメントの延出片３９は、必ずしも水平に室内側に延出するものに限らず、傾斜していてもよい。切欠部４７の形状や大きさは、適宜変更することができる。
【符号の説明】
【００２４】
１  サッシ枠
２  障子
３  網戸
４  下枠
５  オペレータ装置
６  開閉連動装置
１６  網
１７ａ，１７ｂ，１７ｃ，１７ｄ  アタッチメント
１８ａ，１８ｂ，１８ｃ，１８ｄ  網戸係合溝
２２ａ，２２ｂ，２２ｃ，２２ｄ  カバー材
３８  アタッチメントの溝
３９  延出片
４０  外周向き突片
４４ａ，４４ｂ  係止部
４７  切欠部
【図１】
2010281099.tif 000003
【図２】
2010281099.tif 000004
【図３】
2010281099.tif 000005
【図４】
2010281099.tif 000006
【図５】
2010281099.tif 000007
【図６】
2010281099.tif 000008
【図７】
2010281099.tif 000009
【図８】
2010281099.tif 000010
【図９】
2010281099.tif 000011
【図１０】
2010281099.tif 000012
【図１１】
2010281099.tif 000013
【図１２】
2010281099.tif 000014